(57)【要約】      （修正有）【課題】物体を手荷物用品内に固定するための調節可能な固定用配置を提供する。【解決手段】固定用配置１１０は、前パネル１３０及び後パネル１３２と、ターンバックル１４０と、前パネル及び後パネルの１つからターンバックルを通って延在し、次に前パネル及び後パネルの前記１つに解放可能に固定される、可撓性のストラップ１４２とを含む。ストラップは、物体の１つの側の周りを延在する第１の部分１６０と、物体の頂部側上を延在する第２の部分１６２とを含む。ターンバックルは、第１の部分が第２の部分に対してある角度をなして延在するように、ストラップの方向を変える。第１の部分及び第２の部分は、物体を前パネルと後パネルとの間で固定又は解放するために使用者がストラップの遠位端１６３を引くことにより、ターンバックルに対して同時に調節される。【選択図】図２
2018158105.tif 000002
【特許請求の範囲】
【請求項１】
物体を手荷物用品内に固定するように構成された調節可能な固定用配置であって、前記調節可能な固定用配置は、
対向する前パネル及び後パネルと、
ターンバックルと、
前記前パネル及び前記後パネルのうちの１つから少なくとも部分的に前記ターンバックルを通って延在し、次に前記前パネル及び前記後パネルのうちの前記１つに解放可能に固定される、少なくとも１つの可撓性のストラップと、を含み、
前記ストラップは、前記物体の少なくとも１つの側の周りを延在するように配置される第１の部分と、前記物体の頂部側上を延在するように配置される第２の部分とを含み、
前記ターンバックルは、前記第１の部分が前記第２の部分に対して角度（α）をなして延在するように、前記ストラップの方向を変え、
前記第１の部分及び前記第２の部分は、前記物体を前記前パネルと前記後パネルとの間で固定又は解放するために使用者が前記ストラップの遠位端を引くことによって、前記ターンバックルに対して同時に調節される、
調節可能な固定用配置。
【請求項２】
前記ターンバックルは、前記ストラップを前記物体の隣接する複数の側の周りに位置付けるために、各ストラップを前記角度（α）を介して方向付ける、請求項１に記載の調節可能な固定用配置。
【請求項３】
前記ターンバックルは前記後パネルに連結され、
前記ストラップは前記前パネルから延在し、前記ストラップの遠位端は前記前パネルに解放可能に取り付けられる、
請求項１又は請求項２に記載の調節可能な固定用配置。
【請求項４】
前記後パネルは前記手荷物用品の部分として形成される、請求項３に記載の調節可能な固定用配置。
【請求項５】
前記前パネルは、前記物体の底部の隣から延在するフラップ状の部材である、請求項３又は請求項４に記載の調節可能な固定用配置。
【請求項６】
前記ストラップは少なくとも部分的に弾性的に伸縮可能である、請求項１〜請求項５のいずれか一項に記載の調節可能な固定用配置。
【請求項７】
前記ストラップの前記遠位端を引くことにより、前記ストラップは前記物体の少なくとも１つの側に対して締め付けられ、且つ前記前パネル及び前記後パネルのうちの少なくとも１つが前記物体に対して移動される、請求項１〜請求項６のいずれか一項に記載の調節可能な固定用配置。
【請求項８】
前記第１の部分は前記第２の部分に対して直角の角度で延在する、請求項１〜請求項７のいずれか一項に記載の調節可能な固定用配置。
【請求項９】
前記ストラップは２つのストラップを含み、前記２つのストラップ各々の前記第１の部分は少なくとも部分的に、互いに反対の方向に、前記物体の対向する側の周りを延在する、請求項１〜請求項８のいずれか一項に記載の調節可能な固定用配置。
【請求項１０】
前記２つのストラップの各々の前記遠位端は一緒に接合され、且つ前記前パネルに一緒に取り付けられる、請求項９に記載の調節可能な固定用配置。
【請求項１１】
前記ターンバックルは、その中に画定された少なくとも１つの第１のチャネル部分及び少なくとも１つの第２のチャネル部分を含み、前記第１のチャネル部分及び前記第２のチャネル部分は互いに対して角度（α）をなして延在し、
前記ストラップの前記第１の部分は第１のチャネル部分内を延在し、
前記ストラップの前記第２の部分は第２のチャネル部分内を延在し、前記ストラップの前記第１の部分及び前記第２の部分は前記角度（α）を介して方向付けられる、
請求項１〜請求項１０のいずれか一項に記載の調節可能な固定用配置。
【請求項１２】
前記ターンバックルの対向する側上に画定された第１のチャネル部分及び第２のチャネル部分を一緒に接続するために、スロットが前記ターンバックルを通して画定され、前記ストラップは、前記第１のチャネル部分及び前記第２のチャネル部分内を延在することにおいてスロットを通される、請求項１１に記載の調節可能な固定用配置。
【請求項１３】
請求項１〜請求項１２のいずれか一項に記載の前記調節可能な固定用配置を含む手荷物用品であって、前記手荷物用品は、
内部格納コンパートメントを画定するハウジングを含み、前記ハウジングは、
後壁と、
前記後壁に対向する前壁と、
前記前壁と前記後壁との間に延在する複数の側壁と、
前記内部格納コンパートメントへのアクセスを可能にする開口と、を含み、
前記調節可能な固定用配置は、前記物体を前記内部格納コンパートメント内に調節可能に固定するために前記ハウジングと関連付けられる、
手荷物用品。
【請求項１４】
前記調節可能な固定用配置の前記後パネルは、前記ハウジングの前記後壁の少なくとも部分を含む、請求項１３に記載の手荷物用品。
【請求項１５】
前記調節可能な固定用配置の前記前パネルは、前記ハウジングの前記後壁、前壁又は複数の側壁のうちの１つであって、好ましくは前記ハウジングの前記後壁に又は底壁に、ヒンジ式に連結される、請求項１３又は請求項１４に記載の手荷物用品。
【発明の詳細な説明】
【技術分野】
【０００１】
本開示は一般に手荷物用品に関し、特に、物体を手荷物用品内に固定するための調節可能な固定用配置に関する。
【背景技術】
【０００２】
一部の手荷物用品は、内部に物体、特にラップトップ又はタブレットを適切に固定するため適合性のある格納コンパートメント又は配置を含む。不都合なことに、前記物体は様々な寸法を有する可能性があり、一般的な格納配置は、固定される物体の寸法にコンパートメントを適合させるために複数のアクションを必要とし、これにより使用者は、前記物体を手荷物用品内に適切に固定するのを思い留まらせられる可能性がある。加えて、適合性のある格納配置は、物体を手荷物用品内に迅速且つ容易に固定するには複雑すぎる場合がある。
【０００３】
したがって、上述の問題のうちの１つ又は全てに対処する、且つ／又はより一般的に既存の配置の改良又は代替を提供する、改良された調節可能な固定用配置を提供すること、特に、物体を手荷物用品内に調節可能に固定する改良された固定用配置を提供することが望ましい。
【０００４】
様々な調節可能な格納コンパートメントを含むという点で本開示に関連する可能性がある文献としては、米国特許第９２１０９７６Ｂ２号明細書、米国特許出願公開第２０１０００８９７７８Ａ１号明細書、米国特許出願公開第２００８０２０２９５８Ａ１号明細書、米国特許出願公開第２００７０２４６３８６Ａ１号明細書、米国特許第７５４０３７８Ｂ２号明細書、米国特許出願公開第２００９０２３０００６Ａ１号明細書、米国意匠特許第Ｄ５３１４０９Ｓ号明細書、米国特許第７４８７８９６Ｂ２号明細書、米国特許第７２９３６４９Ｂ２号明細書、米国特許第７０３６６４２Ｂ２号明細書、米国特許第６６０４６１８Ｂ１号明細書、米国特許第５７６２１７０Ａ号明細書、米国特許第５５２９１８４Ａ号明細書、及び米国特許第４５７３５７３Ａ号明細書が含まれる。
【発明の概要】
【０００５】
本開示は、以下に記載され添付の特許請求の範囲において規定される、物体を手荷物用品内に調節可能に固定するように構成された調節可能な固定用配置を提供する。本開示は有利には、様々なサイズの物体を手荷物用品の内部格納コンパートメント内に固定するために容易に適合可能な又は調節可能な固定用配置を提供する。前記固定用配置は、少なくとも１つの可撓性の固定用部材（例えばストラップ）と、固定される物体の様々な部分の周りに前記少なくとも１つの固定用部材の様々な部分を方向付けるように配置される調節機構（例えばターンバックル）とを含む。前記少なくとも１つの固定用部材の前記様々な部分は、前記物体を固定又は解放するために、前記調節機構に対して同時に調節される。
【０００６】
本開示の実施形態は、物体を手荷物用品内に固定するように構成された調節可能な固定用配置を含む。前記固定用配置は、対向する前パネル及び後パネルと、ターンバックルと、前記前パネル及び前記後パネルのうちの１つから少なくとも部分的に前記ターンバックルを通って延在し、次に前記前パネル及び前記後パネルのうちの前記１つに解放可能に固定される、少なくとも１つの可撓性のストラップとを含む。前記ストラップは、前記物体の少なくとも１つの側の周りを延在するように配置される第１の部分と、前記物体の頂部側上を延在するように配置される第２の部分とを含む。前記ターンバックルは、前記第１の部分が前記第２の部分に対して角度をなして延在するように、前記ストラップの方向を変える。前記第１の部分及び前記第２の部分は、前記物体を前記前パネルと前記後パネルとの間で固定又は解放するために使用者が各ストラップの遠位端を引くことによって、前記ターンバックルに対して同時に調節される。
【０００７】
いくつかの実施形態では、前記ターンバックルは、前記ストラップを前記物体の隣接する複数の側の周りに位置付けるために、前記ストラップを前記角度を介して方向付けてもよい。
【０００８】
いくつかの実施形態では、前記ターンバックルは前記後パネルに連結されてもよい。前記ストラップは前記前パネルから延在してもよく、前記ストラップの遠位端は前記前パネルに解放可能に取り付けられてもよい。前記後パネルは前記手荷物用品の部分として形成されてもよい。前記前パネルは、前記物体の底部の隣から延在するフラップ状の部材であってもよい。
【０００９】
いくつかの実施形態では、前記ストラップは少なくとも部分的に弾性的に伸縮可能であってもよい。
【００１０】
いくつかの実施形態では、前記ストラップの前記遠位端を引くことにより、前記ストラップは前記物体の少なくとも１つの側に対して締め付けられてもよく、且つ前記前パネル及び前記後パネルのうちの少なくとも１つが前記物体に対して移動されてもよい。
【００１１】
いくつかの実施形態では、前記第１の部分は前記第２の部分に対して直角の角度で延在してもよい。
【００１２】
いくつかの実施形態では、各ストラップは２つのストラップを含んでもよく、２つの各ストラップの前記第１の部分は少なくとも部分的に、それぞれが反対の方向において、前記物体の対向する側の周りを延在してもよい。２つの各ストラップの前記遠位端は一緒に接合されてもよく、且つ前記前パネルに一緒に取り付けられてもよい。
【００１３】
いくつかの実施形態では、前記ターンバックルは、その中に画定された少なくとも１つの第１のチャネル部分及び少なくとも１つの第２のチャネル部分を含んでもよく、前記第１のチャネル部分及び前記第２のチャネル部分は互いに対して角度をなして延在してもよい。前記ストラップの前記第１の部分は第１のチャネル部分内を延在してもよい。前記ストラップの前記第２の部分は第２のチャネル部分内を延在してもよく、それにより、前記ストラップの前記第１の部分及び前記第２の部分は前記角度を介して方向付けられてもよい。前記ターンバックルの対向する側上に画定された第１のチャネル部分及び第２のチャネル部分を一緒に接続するために、スロットが前記ターンバックルを通して画定されてもよい。前記ストラップは、前記第１のチャネル部分及び前記第２のチャネル部分内を延在することにおいてスロットを通されてもよい。
【００１４】
本開示の実施形態は、上述の任意の実施形態の前記調節可能な固定用配置を含む手荷物用品を含んでもよい。前記手荷物用品は、内部格納コンパートメントを画定するハウジングを含んでもよく、前記ハウジングは、後壁と、前記後壁に対向する前壁と、前記前壁と前記後壁との間に延在する複数の側壁と、前記内部格納コンパートメントへのアクセスを可能にする開口とを含んでもよい。前記調節可能な固定用配置は、前記物体を前記内部格納コンパートメント内に調節可能に固定するために前記ハウジングと関連付けられてもよい。
【００１５】
いくつかの実施形態では、前記調節可能な固定用配置の前記後パネルは、前記ハウジングの前記後壁の少なくとも部分を含んでもよい。
【００１６】
いくつかの実施形態では、前記調節可能な固定用配置の前記前パネルは、前記ハウジングの前記壁のうちの１つに、好ましくは前記ハウジングの前記後壁に又は底壁に、ヒンジ式に連結されてもよい。
【００１７】
追加の実施形態及び特徴は、部分的に以下の説明において述べられ、本明細書を検討することにより当業者にとって明らかとなり、又は開示される主題の実施によって知ることができる。本開示の本質及び利点のさらなる理解は、本明細書の残りの部分と、この開示の一部を形成する図面とを参照することによって実現可能である。本開示の様々な態様及び特徴のそれぞれは、いくつかの場合には別個に、又は他の場合には本開示の他の態様及び特徴と組み合わせて、有利に使用されてもよいということを当業者は理解するであろう。
【００１８】
説明は、以下の図面を参照すればより十分に理解されるであろう。図面において、構成要素は一定の縮尺で描かれているわけではない。図面は本開示の様々な実施形態として提示されるものであり、本開示の範囲の完全な記述と解釈されるべきではない。
【図面の簡単な説明】
【００１９】
【図１】本開示のいくつかの例による、調節可能な固定用配置を介して中に固定されたラップトップを含む手荷物用品の前面等角図である。
【図２】本開示のいくつかの例による、前記ラップトップが除去された図１の手荷物用品の前面等角図である。
【図３】本開示のいくつかの例による、前記調節可能な固定用配置の調節機構及びそれを通されたストラップの、拡大されたより詳細な後面等角図である。
【図４】図１の手荷物用品の前面等角図であり、本開示のいくつかの例による、第１のラップトップ（仮想線で示されている）の周りに緩く延在し且つ図３の調節機構を通して延在する固定部材を示す。前記手荷物用品の前壁は、説明のみを目的として除去されている。
【図５】図１の手荷物用品の前面等角図であり、本開示のいくつかの例による、前記第１のラップトップ（仮想線で示されている）の側部に対抗して締め付けられた前記固定部材を示す。前記手荷物用品の前壁は、説明のみを目的として除去されている。
【図６】図１の手荷物用品の前面等角図であり、本開示のいくつかの例による、前記ラップトップを前記手荷物用品内に固定するために、前記第１のラップトップ（仮想線で示されている）の隣接する側部に対抗して締め付けられた前記固定部材を示す。前記手荷物用品の前壁は、説明のみを目的として除去されている。
【図７】図１の手荷物用品の前面等角図であり、本開示のいくつかの例による、第２のより大きなラップトップ（仮想線で示されている）を前記手荷物用品内に固定している前記調節可能な固定用配置を示す。前記手荷物用品の前壁は、説明のみを目的として除去されている。
【図８】本開示の別の例による、手荷物ケースと関連付けられた前記調節可能な固定用配置の等角図である。
【図９】本開示のさらなる例による、バックパックと関連付けられた前記調節可能な固定用配置の等角図である。
【図１０】本開示のいくつかの例による、前記調節可能な固定用配置の一部に調節可能に且つ／又は解放可能に連結された図３の調節機構の部分図である。
【図１１】本開示の他の例による、前記調節可能な固定用配置の一部に連結された図３の調節機構の部分図である。
【発明を実施するための形態】
【００２０】
本開示によれば、単一のアクションを使用して物体を固定又は解放するように構成された調節可能な固定用配置が提供される。以下で説明するように、前記固定用配置は、物体を手荷物用品内で迅速且つ容易に固定又は解放するように働く。前記固定用配置は、少なくとも１つの可撓性の固定用部材であって、一例においてはストラップなどの、固定用部材と、一例においてはターンバックルなどの、調節機構とを含む。前記調節機構は前記物体の様々な部分の周りに前記少なくとも１つの固定用部材の様々な部分を方向付けるように配置される。前記少なくとも１つの固定用部材の前記様々な部分は、前記物体を固定又は解放するために、前記調節機構に相対的に同時に調節される。
【００２１】
本開示の一実施形態によれば、手荷物用品１００は、内部格納コンパートメント１０４と格納容積とを画定する複数の壁又はパネルから形成されたハウジング１０２を含み、前記内部格納コンパートメント１０４と前記格納容積とは、使用者の所有物をその中で運ぶためのものである。本明細書中に記載するように、手荷物用品１００は、ハウジング１０２と関連付けられた且つ物体１１２を手荷物用品１００の内部格納コンパートメント１０４内に調節可能に固定するように構成された、調節可能な固定用配置１１０を含む。図では、固定用配置１１０を介して手荷物用品１００内に固定されたラップトップが示されているが、物体１１２は、使用者が手荷物用品１００内に固定することを所望する実質的に任意の物品であってもよく、その例としてはとりわけ、電子装置（例えば、タブレット、携帯用ゲーム機など）、本、バインダ、又はより小さな手荷物ケース（例えば、ブリーフケース、ハンドバッグ、格納スリーブなど）が挙げられる。しかし言及を容易にするために、以下の記載では、物体１１２を説明の目的のためにラップトップとして記載し、前記ラップトップは、前記ラップトップの外周を画定する対向する第１の側１１４及び第２の側１１６と、対向する第３の側１１８及び第４の側１２０とを含む。加えて、手荷物用品１００はブリーフケースとして図示され記載されるが、以下でより十分に説明するように、スピナーケース、バックパックなどの任意の形態又は形状を呈してもよい。
【００２２】
手荷物用品１００は、閉じた構成と開いた構成との間を転換可能である。例えば、手荷物用品１００は、（例えばヒンジ構造又は同様の機構を介して）分割線１２５に沿ってベース１２４に枢動可能に取り付けられた蓋１２２を含み、それにより、内部格納コンパートメント１０４へのアクセスを可能にする選択的開口１２６が画定される（図１及び図２を参照）。そのような実施形態では、蓋１２２及びベース１２４は、手荷物用品１００を閉じるため又は開くために、それぞれ、互いに向けて又は互いから離れるように枢動されてもよい。前記ヒンジ構造は、とりわけ、布ストリップ、連続ヒンジ、一体ヒンジ、間隔の空いた離散ヒンジ、ジッパー構造、又はエラストマー材料で作られた関節継手などであってもよい。特定の用途に応じて、手荷物用品１００は閉鎖機構１２８を含んでもよい。閉鎖機構１２８は、手荷物用品１００の開放及び閉鎖のための使用者による選択的な作動を可能にするために、蓋１２２及びベース１２４の周辺エッジに沿って固定されていてもよい。開いた構成において、閉鎖機構１２８は分割線１２５の実質的に全長に沿って係合解除されて、それにより蓋１２２及びベース１２４は、部分的な開放から完全な開放までの任意の量まで互いに相対的に枢動することが可能である。閉じた構成において、閉鎖機構１２８は分割線１２５の実質的に全長に沿って係合され、それにより蓋１２２はベース１２４に固定され、手荷物用品１００からの物体１１２の除去が制限される。閉鎖機構１２８は、本明細書中では主としてジッパークロージャとして開示されるが、その他の任意の好適なタイプの閉鎖機構が利用されてもよい。
【００２３】
図２に示す一実施形態では、固定用配置１１０は、対向する前パネル１３０及び後パネル１３２であってそれらの間に空間１３４を画定する、対向する前パネル１３０及び後パネル１３２を含み、前記空間１３４は、物体１１２を固定のために少なくとも部分的にその中に位置付けるためのものである。好ましくは、前パネル１３０及び後パネル１３２は、以下で説明するように、手荷物用品１００の複数の壁又はパネルのうちの１つに取り付けられるか、又は手荷物用品１００の複数の壁又はパネルのうちの１つを少なくとも部分的に画定する。例えば、一例では、前パネル１３０及び後パネル１３２のうちの少なくとも１つ（例えば後パネル１３２）は、手荷物用品１００の部分として形成されてもよく、手荷物用品１００の前記部分の例としては、蓋１２２又はベース１２４などが挙げられる。
【００２４】
本明細書中に記載するように、固定用配置１１０は、前パネル１３０と後パネル１３２との間で物体１１２を固定及び開放するように働く。例えば、固定用配置１１０は、例えばターンバックル１４０などの（便宜上、以下では「ターンバックル」とするが、これに限定することは意図しない）調節機構を含んでもよい。一実施形態では、ターンバックル１４０は、前パネル１３０及び後パネル１３２のうちの１つに（例えば連結されることによって）隣接してもよい（例えば、後パネル１３２に隣接し且つ／又は連結されてもよい）。一実施形態では、固定用配置１１０は、ターンバックル１４０と関連付けられた例えばストラップ１４２などの（便宜上、以下では「ストラップ」とするが、これに限定することは意図しない）少なくとも１つの固定部材を含んでもよい。各ストラップ１４２の一部は、前パネル１３０及び後パネル１３２のうちの１つに（例えば前パネル１３０に）連結されてもよい。一実施形態では、以下により十分に記載するように、各ストラップ１４２は、前パネル１３０及び後パネル１３２のうちの１つから（例えば前パネル１３０から）少なくとも部分的にターンバックル１４０を通って延在してもよく、次に前パネル１３０及び後パネル１３２のうちの同じ１つに解放可能に固定されてもよい。各ストラップ１４２は、その長さの少なくとも一部が可撓性であってもよく、又はその全長に沿って可撓性を備えてもよい。「パネル」と呼ぶが、前パネル１３０及び後パネル１３２のうちの少なくとも１つ（例えば前パネル１３０）は、フラップ状の又はストラップ状の部材として形成されてもよい。例えば、前パネル１３０は、物体１１２の底部の隣から延在してストラップ１４２と連結される、フラップであってもよい。
【００２５】
ターンバックル１４０は、物体１１２を手荷物用品１００内に固定するために、各ストラップ１４２を物体１１２の周りに方向付ける。例えば、ターンバックル１４０は、前パネル１３０と後パネル１３２との間で物体１１２を調節可能に固定するために、各ストラップ１４２の様々な部分を物体１１２の様々な側又は部分の周りに方向付けるように配置されてもよい（図１を参照）。例えば、以下により十分に記載するように、各ストラップ１４２は、物体１１２を手荷物用品１００内に調節可能に固定するために、前パネル１３０から物体１１２の一部を周ってターンバックル１４０まで、及びターンバックル１４０から物体１１２の別の部分を周って前パネル１３０まで延在するように配置されてもよい（図６を参照）。いくつかの実施形態では、固定用配置１１０の少なくとも部分は、運搬中の物体１１２の損傷を制限するように構成されてもよい。例えば、前パネル１３０及び後パネル１３２はパッド入りであってもよい。加えて又は代替として、前パネル１３０及び後パネル１３２、ターンバックル１４０、ストラップ１４２、又はそれらの任意の組み合わせなどの、固定用配置１１０の部分は、物体１１２への引っ掻き又はその他の損傷を制限するように働く材料（例えば、フェルト、マイクロファイバ、ソフトファブリック、ゴム、プラスチックなど）から形成されるか、又はその材料を用いて裏打ちされてもよい。
【００２６】
非限定的な一例において、各ストラップ１４２は、物体１１２の少なくとも１つの側の周りを延在するように配置される第１の部分１６０と、物体１１２の別の側の周りを延在するように配置される第２の部分１６２とを含む。例えば、水平部分又は横方向部分と呼ばれてもよい第１の部分１６０は、前パネル１３０の１つの側から（例えば横方向に）延在して、物体１１２の少なくとも第１の側１１４を周って（例えば物体１１２の横方向の側を水平に周って）、ターンバックル１４０まで延在してもよい。物体１１２の前記横方向の側は、一例では、物体１１２が手荷物用品１００内に位置付けられ、手荷物用品１００が直立構成に向けられている場合、垂直に延在してもよい。第２の部分１６２は上側部分又は垂直部分と呼ばれてもよく、これはターンバックル１４０から物体１１２の少なくとも第３の側１１８を周って（例えば、物体１１２の隣接する側、例えば物体１１２の頂部上又は頂部側上などを垂直に周って）、前パネル１３０まで延在してもよく、次にその遠位端１６３が前パネル１３０に取り付けられ固定されてもよい（例えば解放可能に取り付けられてもよい）（図１を参照）。
【００２７】
様々な実施形態において、第１の部分１６０及び第２の部分１６２のうちの少なくとも１つは、物体１１２を手荷物用品１００内に解放可能に固定するために、前パネル１３０に解放可能に取り付け可能であってもよい。例えば、以下で説明するように、第１の部分１６０は、（例えば、縫合、ファスナなどを介して）前パネル１３０の１つの側に固定されてもよく、第２の部分１６２は、面ファスナなどを介して前パネル１３０に解放可能に取り付けられてもよい。例えば、前パネル１３０の外表面１６４は、面ファスナの第１の要素１６６を含んでもよい（図２を参照）。そのような実施形態では、第２の部分１６２、及び好ましくは第２の部分１６２の遠位端１６３に接続されたフラップ１６８は、面ファスナの第２の要素１７０を含み、したがって、面ファスナの第１の要素１６６及び第２の要素１７０の係合により、各ストラップ１４２（例えば各ストラップ１４２の第２の部分１６２）は前パネル１３０に解放可能に固定される。以下で説明するように、面ファスナの配置により、様々なサイズの物体を収容するためにフラップ１６８が前パネル１３０に実質的に任意の位置において固定されることが可能になる。例えば、フラップ１６８は、前パネル１３０の長さ（例えば高さ）に沿って、例えば面ファスナの第１の要素１６６の長さに沿って、固定されてもよい。第１の要素１６６及び第２の要素１７０を有する面ファスナについて上述したが、固定用配置１１０は、第１の部分１６０及び第２の部分１６２のうちの少なくとも１つを前パネル１３０に解放可能に取り付けるためのその他の構成を含んでもよい。例えば、限定されないが、前パネル１３０は、前パネル１３０上の任意の位置においてフラップ１６８が固定されることを可能にするフリースタイプなどの材料（便宜上、以下ではカバー１７２とするが、これに限定することは意図しない）によって覆われてもよい（図２を参照）。例えば、面ファスナの第２の要素１７０は、フラップ１６８を前パネル１３０に且つ前パネル１３０の実質的に任意の位置において固定するために、カバー１７２に解放可能に係合してもよい。
【００２８】
好ましい実施形態では、少なくとも１つのストラップ１４２の少なくとも一部、又は各ストラップ１４２の少なくとも一部は弾性的に伸縮可能であり、これにより手荷物用品１００内での物体１１２のわずかな移動が可能になってもよく、且つ／又は物体１１２に対抗する固定力が提供されてもよい。加えて又は代替として、各ストラップ１４２の弾性的に伸縮可能な特性により、前パネル１３０と後パネル１３２との間の空間１３４の拡大が、ターンバックル１４０を通したストラップ（１又は複数）１４２の移動なしに可能になってもよい。各ストラップ１４２の弾性的に伸縮可能な特性により、各ストラップ１４２の少なくとも部分は、（フラップ１６８が前パネル１３０に係合されている場合）物体１１２に対抗して付勢されてもよく、又は（フラップ１６８が前パネル１３０と係合解除されている場合）後パネル１３２に向けて付勢されてもよい。いくつかの実施形態では、各ストラップ１４２はコード又はストラップである（又はいくつかの非限定的な例ではケーブルであってもよい）。別の例では、少なくとも１つのストラップの少なくとも一部が弾性的に伸縮可能である。別の例では、少なくとも１つのストラップの少なくとも一部が非伸縮可能であってもよく、さらなる例では、少なくとも１つのストラップ又は各ストラップが非伸縮可能であってもよい。
【００２９】
好ましくは、固定用配置１１０は２つのストラップ（例えば、第１のストラップ１８０及び第２のストラップ１８２）を含んでもよく、２つのストラップ１８０、１８２のそれぞれは実質的に互いに同一に（ただしいくつかの実施形態ではミラー構成において）構成され、対向する側方向において協同して働いて、物体１１２をそれらの間に固定してもよい。２つ以上のストラップを有する実施形態では、固定用配置１１０は、１又は複数のストラップが物体１１２の対向する側の周りを延在するように構成されてもよい（図１を参照）。２つのストラップを有する実施形態では、各ストラップの第１の部分１６０は少なくとも部分的に、それぞれの対向する方向において、物体１１２の対向する側の周りを延在してもよい。例えば、第１のストラップ１８０の少なくとも一部（例えば第１のストラップ１８０の第１の部分１６０）は、物体１１２の第１の側１１４の周りを延在してもよく、第２のストラップ１８２の少なくとも一部（例えば第２のストラップ１８２の第１の部分１６０）は、物体１１２の第２の側１１６の周りを延在してもよい（図１を参照）。そのような実施形態では、第１のストラップ１８０及び第２のストラップ１８２の第２の部分１６２は、物体１１２の第３の側１１８の周りを、例えば互いに隣接して（及びさらなる例では平行に）延在してもよい。一実施形態では、以下で説明するように、第１のストラップ１８０及び第２のストラップ１８２の第２の部分１６２はそれぞれがフラップ１６８に接続されてもよく、したがって、フラップ１６８の移動により第１のストラップ１８０及び第２のストラップ１８２が同時に移動されてもよい。
【００３０】
２つのストラップを含むものとして図示し記載したが、固定用配置１１０は１つのみのストラップを含んでもよい。例えば、単一のストラップ（例えば第１のストラップ１８０又は第２のストラップ１８２のうちの１つ）が物体１１２の第１の側１１４及び第３の側１１８の周りを延在して、前パネル１３０と後パネル１３２との間に前記物体を固定してもよい。そのような実施形態では、固定用配置１１０は、物体１１２の望ましくない移動を制限する追加の構造を含んでもよい。一例では、前パネル１３０の少なくとも一部は、物体１１２の第２の側１１６に隣接して、後パネル１３２に連結されてもよい（例えば、取り付けられてもよく、さらなる例では縫合されるか又はその他の方法で締結されてもよい）。例えば、前パネル１３０の１つの側は、後パネル１３２に縫合されるか、締結されるか、又はその他の方法で取り付けられてスリーブを画定してもよく、前記スリーブ内には物体１１２が部分的に挿入され固定用配置１１０を介して固定されてもよい。
【００３１】
本明細書中に記載するように、ターンバックル１４０は、調節部材、調節クリップなどと呼ばれてもよく、これは、物体１１２の様々な側の周りでの各ストラップ１４２の延在を方向付けるように構成された方向性特徴を含んでもよい。例えば、ターンバックル１４０を通した各ストラップ１４２の延在により、各ストラップ１４２の第１の部分１６０及び第２の部分１６２が画定されるか又はその他の方法で方向付けられてもよく、例えば第１の部分１６０がターンバックル１４０を通して進んで第２の部分１６２が画定されてもよい。本明細書中に記載するように、ターンバックル１４０は、第１の部分１６０が第２の部分１６２に対して角度αをなして延在するように、各ストラップ１４２の方向を変えてもよい。図２及び図３に示す一実施形態では、ターンバックル１４０は、その中に画定された第１のチャネル部分１９０及び第２のチャネル部分１９２を含んでもよく、例えば複数の第１のチャネル部分１９０及び複数の第２のチャネル部分１９２を含んでもよい。第１のチャネル部分１９０及び第２のチャネル部分１９２は互いに対して角度αをなして延在してもよく、それにより、各ストラップ１４２（例えば各ストラップ１４２の第１の部分１６０及び第２の部分１６２）を物体１１２の様々な（例えば隣接する）側の周りに位置付けるために、各ストラップ１４２を角度αを介して方向付けてもよい。そのような実施形態では、各ストラップ１４２の第１の部分１６０は第１のチャネル部分１９０内を延在してもよく、各ストラップ１４２の第２の部分１６２は対応する第２のチャネル部分１９２内を延在してもよく、それにより、各ストラップ１４２の第１の部分１６０及び第２の部分１６２は角度αを介して方向付けられてもよい。ターンバックル１４０によって各ストラップ１４２が９０度の、９０度未満の、又は９０度を超える角度を介して方向付けられるように、第１のチャネル部分１９０及び第２のチャネル部分１９２は角度をもって配置されてもよい。例えば、以下に記載するように、各ストラップ１４２の第２の部分１６２が第１の部分１６０に対して実質的に直角に延在するように、ターンバックル１４０はある角度（好ましくは９０度の角度）を介して各ストラップ１４２を方向付けてもよいが、その他も構成も企図される。
【００３２】
図２及び図３に示す一実施形態では、ターンバックル１４０は、対向する前表面２００及び後表面２０２と、対向する左エッジ２０４及び右エッジ２０６と、頂部エッジ２０８とを含む。そのような実施形態では、ターンバックル１４０の後表面２０２は後パネル１３２に連結されてもよく、例えば、特定の用途に応じて、後パネル１３２に面するか又は当接する関係で位置付けられてもよい。各第１のチャネル部分１９０は、ターンバックル１４０の後表面２０２内に、例えば後表面２０２によって画定される基準面から窪んで画定されてもよい。図示されているように、各第１のチャネル部分１９０は、ターンバックル１４０のそれぞれ左エッジ２０４又は右エッジ２０６から内向きに延在してもよく、各第１のチャネル部分は、ターンバックル１４０を通して画定されるスロット２２０において終端してもよい。以下により十分に記載するように、各スロット２２０は、第１のチャネル部分１９０及び第２のチャネル部分１９２のうちの少なくとも１つに対して（例えば、第１のチャネル部分１９０及び第２のチャネル部分１９２の両方に対して）（例えば、約４５度の、又は４５度未満の、又は４５度を超える）角度βをなして延在してもよく、それにより、関連するストラップ１４２を第１のチャネル部分１９０から第２のチャネル部分１９２に向けて、例えば角度αを介して方向付けてもよい。
【００３３】
各第２のチャネル部分１９２は、ターンバックル１４０の前表面２００上に画定されてもよい。そのような実施形態では、以下で説明するように、スロット２２０は各第１のチャネル部分１９０を対応する第２のチャネル部分１９２と接続してもよく、したがって、各ストラップ１４２は、対応する第１のチャネル部分１９０及び第２のチャネル部分１９２内を延在することにおいてターンバックル１４０を通されてもよい（図３を参照）。一実施形態では、各第２のチャネル部分１９２は、少なくとも部分的に、ターンバックル１４０の前表面２００の一部から延在するタブ２３０によって画定されるが、第１のチャネル部分１９０に類似した構成をこれに限定されずに含むその他の構成も企図される。同様に、第１のチャネル部分１９０は、第２のチャネル部分１９２と同様に構成されてもよく、すなわち後表面２０２から延在するタブ又はその他の構造によって画定されてもよい。本明細書中に記載する各実施形態において、第１のチャネル部分１９０及び第２のチャネル部分１９２は、ストラップ（１又は複数）１４２の滑らかな動作を促進してもよく、例えば各ストラップ１４２がターンバックル１４０を通して（第１のチャネル部分１９０及び第２のチャネル部分１９２を通して）比較的容易に又は自由に摺動することを可能にしてもよい。いくつかの実施形態では、第１のチャネル部分１９０及び第２のチャネル部分１９２は、ターンバックル１４０に相対的な各ストラップ１４２の移動を制限するように構成されてもよく、これは物体１１２の周りの確実な保持配置を維持するために有益な場合がある。いくつかの実施形態では、ターンバックル１４０は、薄いとみなされるように寸法決定されてもよい。以下で説明するように、固定用配置１１０は、後パネル１３２に相対的なターンバックル１４０の移動を制限するように構成されてもよい。例えば、限定されないが、ターンバックル１４０は後パネル１３２に、例えば後パネル１３２の中央部分に、（解放可能に又は固定的に）連結されてもよい。以下に記載するように、様々なサイズ及び形状の物体を収容及び固定するために、ターンバックル１４０は後パネル１３２に相対的に調節されてもよい。
【００３４】
図３を参照すると、各ストラップ１４２は、ターンバックル１４０の対応する第１のチャネル部分１９０及び第２のチャネル部分１９２を通して引き回されてもよい。例えば、第１のストラップ１８０は、対応する第１のチャネル部分１９０を通して、ターンバックル１４０の右エッジ２０６から関連するスロット２２０まで引き回されてもよく、その点において第１のストラップ１８０は、スロット２２０を通して、ターンバックル１４０の後表面２０２から前表面２００まで延在する。いくつかの実施形態では、第１のストラップ１８０の第１の部分１６０は、後パネル１３２とターンバックル１４０の少なくとも一部との間で、第１のチャネル部分１９０内に位置付けられてもよい。例えば、ターンバックル１４０の後表面２０２が後パネル１３２に直接取り付けられる実施形態では、第１のストラップ１８０の第１の部分１６０は、後パネル１３２とターンバックル１４０との間で（例えばそれらに対抗して）、第１のチャネル部分１９０内を摺動するように位置付けられてもよい。
【００３５】
スロット２２０を通して延在した後、第１のストラップ１８０は、対応する第２のチャネル部分１９２を通して（例えば前表面２００に沿って）、ターンバックル１４０のスロット２２０から頂部エッジ２０８に向けて引き回されてもよい。第１のストラップ１８０を第２のチャネル部分１９２内に固定するために、第１のストラップ１８０の少なくとも一部は、ターンバックル１４０の前表面２００とそこから延在するタブ２３０との間に位置付けられてもよい。第２のチャネル部分１９２を通して延在した後、第１のストラップ１８０の第２の部分１６２は、固定用配置１１０の別の部分に、例えば前パネル１３０に、固定されてもよい（例えば解放可能に固定されてもよい）。同様に、第１のチャネル部分１９０を通して延在する前に、第１のストラップ１８０の第１の部分１６０は、前パネル１３０に係留されてもよい。図示されているように、第１のチャネル部分１９０及び第２のチャネル部分１９２並びにスロット２２０の配置により、第１のストラップ１８０は角度αを介して、例えば水平から垂直に、効果的に向きを変えられるか又は方向付けられてもよい。一実施形態では、第１のチャネル部分１９０及び第２のチャネル部分１９２並びにスロット２２０の配置により、第１のストラップ１８０は、例えばターンバックル１４０を通した第１のストラップ１８０の束縛が制限されるように、ターンバックル１８０を通して折り曲げられてもよい。第２のストラップ１８２は、ターンバックル１４０を通して同様に引き回されてもよく、ただし第１のストラップ１８０に対するミラー構成において、ターンバックル１４０の左エッジ２０４から、別個の第１のチャネル部分１９０及び第２のチャネル部分１９２を通して、ターンバックル１４０の頂部エッジ２０８に向けて引き回されてもよい。
【００３６】
本明細書中に記載するターンバックル１４０の構成は、各ストラップ１４２の第１の部分１６０及び第２の部分１６２の、ターンバックル１４０に対する同時の調節を容易にする。例えば、以下で説明するように、第１の部分１６０及び第２の部分１６２は、物体１１２を前パネル１３０と後パネル１３２との間で固定又は解放するために使用者が各ストラップ１４２の遠位端１６３を引くことによって、ターンバックル１４０に対して同時に調節されてもよい。好ましい実施形態では、物体１１２を前パネル１３０と後パネル１３２との間で固定又は解放するために、第２の部分１６２は第１の部分１６０と同時に物体１１２の周りで調節される。さらなる例では、各ストラップ１４２の遠位端１６３を、例えばフラップ１６８を介して移動すること（例えば引くこと）により、各ストラップ１４２は、物体１１２の少なくとも１つの側に対抗して締め付けられてもよい。加えて又は代替として、各ストラップ１４２の遠位端１６３を引くことにより、前パネル１３０及び後パネル１３２のうちの少なくとも１つが物体１１２に対抗して移動されてもよい（例えば、圧迫されてもよく、引かれてもよい）。例えば、各ストラップ１４２の遠位端１６３を引くことにより、前パネル１３０及び後パネル１３２は互いに向けて、且つ物体１１２に対抗して移動されてもよい。各ストラップ１４２の遠位端１６３は一緒に接合されてもよく、且つ前パネル１３０に一緒に取り付けられてもよい（例えば解放可能に取り付けられてもよい）。例えば、第１のストラップ１８０及び第２のストラップ１８２の遠位端１６３は、フラップ１６８において一緒に接合されてもよい。そのような実施形態では、フラップ１６８を引くことにより各ストラップの遠位端１６３が同時に移動されて、第１のストラップ１８０及び第２のストラップ１８２が、ターンバックル１４０及び／又は物体１１２に対して調節されてもよい。
【００３７】
より具体的には、図４〜図６を順に参照すると、物体１１２は、例えば物体１１２の第４の側１２０の少なくとも一部を、前パネル１３０と後パネル１３２との間に画定される空間１３４内に挿入することによって、少なくとも部分的に、固定用配置１１０の前パネル１３０と後パネル１３２との間に位置付けられる。図４に示すように、物体１１２が少なくとも部分的に前パネル１３０と後パネル１３２との間に挿入されることを可能にするために、第１のストラップ１８０及び第２のストラップ１８２は物体１１２の周りを緩く延在してもよい。前パネル１３０と後パネル１３２との間に物体１１２が位置付けられたら、フラップ１６８と、第１のストラップ１８０及び第２のストラップ１８２の第２の部分１６２の遠位端１６３とが物体１１２から離れて延在するように、フラップ１６８は例えば上向きに移動される（例えば引かれてもよい）。
【００３８】
フラップ１６８が物体１１２から離れるように引かれるにつれて、第１のストラップ１８０及び第２のストラップ１８２のますます多くの長さが、ターンバックル１４０の第１のチャネル部分１９０を通して、及びスロット２２０を通して、及び第２のチャネル部分１９２を通して摺動し、それにより第１のストラップ１８０及び第２のストラップ１８２の第２の部分１６２の長さが増加し、第１の部分１６０の長さが減少する。この結果として、第１のストラップ１８０及び第２のストラップ１８２（例えば第１のストラップ１８０及び第２のストラップ１８２の第１の部分１６０）は物体１１２に対抗して、例えば物体１１２の対向する第１の側１１４及び第２の側１１６に対抗して、同時に締め付けられる（図５を参照）。加えて、第１のストラップ１８０及び第２のストラップ１８２（例えば第１のストラップ１８０及び第２のストラップ１８２の第１の部分１６０）は前パネル１３０に係留されているため、且つターンバックル１４０は後パネル１３２に連結されているため、フラップ１６８を物体１１２から離れるように引くことにより、前パネル１３０及び後パネル１３２は、互いに向けて且つ物体１１２に向けて同時に引かれる。フラップ１６８は、例えば、前パネル１３０及び後パネル１３２が物体１１２に当接するまで、且つ／又は第１のストラップ１８０及び第２のストラップ１８２の第１の部分１６０が物体１１２の対応する側に対抗して締め付けられるまで、物体１１２から離れるように引かれる（図５を参照）。
【００３９】
前パネル１３０と、後パネル１３２と、第１のストラップ１８０及び第２のストラップ１８２の第１の部分１６０とが物体１１２に対抗して締め付けられたら、第１のストラップ１８０及び第２のストラップ１８２の遠位端１６３が、例えばフラップ１６８を介して、前パネル１３０に解放可能に取り付けられる。例えば、図６に示すように、第１のストラップ１８０及び第２のストラップ１８２の第２の部分１６２が物体１１２の頂部上に、且つ物体１１２の第３の側１１８に対抗して延在するように、フラップ１６８は前パネル１３０に向けて方向付けられてもよい。フラップ１６８は次に、物体１１２を固定用配置１１０内に固定するために、例えば上述の面ファスナを介して前パネル１３０に取り付けられ固定されてもよい（図６を参照）。固定されたら、物体１１２は少なくとも部分的に、前パネル１３０と後パネル１３２との間に、且つ第１のストラップ１８０及び第２のストラップ１８２の第１の部分１６０の間に、且つ手荷物用品１００の壁のうちの１つと第１のストラップ１８０及び第２のストラップ１８２の第２の部分１６２との間に位置付けられる。
【００４０】
固定用配置１１０からの物体１１２の取外しは、実質的に逆の順序で達成される。特に、フラップ１６８が最初に前パネル１３０から係合解除されて、第１のストラップ１８０及び第２のストラップ１８２のターンバックル１４０を通した逆の移動が可能にされる。例えば、フラップ１６８が前パネル１３０を係合解除したら、例えば使用者が第１の部分（１又は複数）１６０を物体１１２から離れるように外向きに引くこと及び／又は前パネル１３０を物体１１２から離れるように引くことによって、第１のストラップ１８０及び第２のストラップ１８２のうちの少なくとも１つの第１の部分１６０は、ターンバックル１４０から離れるように移動される（例えば引かれる）。例えば、使用者は、第１のストラップ１８０を緩めることと第２のストラップ１８２を緩めることとを交互に行ってもよく、又は単に第１のストラップ１８０及び第２のストラップ１８２のうちの１つを緩めてもよい。上記の各例において、第１のストラップ１８０及び第２のストラップ１８２のうちの少なくとも１つの第１の部分１６０をターンバックル１４０から離れるように移動することによって、第１のストラップ１８０及び第２のストラップ１８２のうちの少なくとも１つのますます多くの長さが、ターンバックル１４０を通して引かれ、それにより前記ストラップの第１の部分１６０の長さが増加し、第２の部分１６２の長さが減少し、それにより第１のストラップ１８０及び第２のストラップ１８２のうちの少なくとも１つが物体１１２の１又は複数の側から同時に緩められる。第１のストラップ１８０及び第２のストラップ１８２が十分に緩められたら、物体１１２は固定用配置１１０から除去される。
【００４１】
本開示によれば、固定用配置１１０は、様々な形状及びサイズの物体を手荷物用品１００内に固定するように構成されてもよい。例えば、図６及び図７を比較すると、固定用配置１１０はより小さな又はより大きな寸法の物体を収容するように調節されてもよい。例えば、より大きな物体について、第２の部分１６２の長さに対して第１の部分１６０の長さは増加してもよく、したがって、フラップ１６８を前パネル１３０に固定することにおいて、より少量の第１のストラップ１８０及び第２のストラップ１８２が前パネル１３０上に延在してもよい（図７を参照）。より小さな物体について、第２の部分１６２の長さに対して第１の部分１６０の長さは減少してもよく、したがって、フラップ１６８を前パネル１３０に固定することにおいて、より多量の第１のストラップ１８０及び第２のストラップ１８２が前パネル１３０上に延在してもよい（図６を参照）。同じ比較が、幅がより広い物体とより狭い物体との対比について、高さがより高い物体とより低い物体との対比について、及び厚さがより厚い物体とより薄い物体との対比について当てはまり得る。いくつかの実施形態では、第１の側１１４が第２の側１１６より小さい物体（例えばバインダ）などの異形形状の物体を収容するために第１のストラップ１８０及び第２のストラップ１８２が個別に制御され得るように、フラップ１６８は省略されてもよい。
【００４２】
いくつかの実施形態では、ターンバックル１４０は、固定用配置１１０の固定特性を調整するために（例えば様々なサイズの物体を収容するために）、後パネル１３２に調節可能に連結されてもよい。図１０に示す一実施形態では、ターンバックル１４０は面ファスナ２５０を介して後パネル３１２に連結されてもよい。前パネル１３０とのフラップ１６８の解放可能な取り付けと同様に、後パネル１３２とターンバックル１４０との間の面ファスナ２５０の配置によって、ターンバックル１４０が後パネル１３２に、複数の位置のうちの任意の１つにおいて解放可能に連結されることが可能になってもよい。そのような実施形態では、後パネル１３２に対するターンバックル１４０の配置によって、ターンバックル１４０が各ストラップ１４２をどのように方向付けるかに影響が及ぼされてもよい。例えば、図１０に示すように、ターンバックル１４０を上方に移動することにより各ストラップ１４２の第１の部分１６０と第２の部分１６２との間の角度αは増加してもよく、これにより、第１のストラップ１８０及び第２のストラップ１８２の第２の部分１６２、又は面ファスナ２５０、又はそれらの両方によって提供される相補的な上方への力がなければ、ターンバックル１４０を下方に付勢する傾向が生じる。同様に、ターンバックル１４０を下方に移動することにより各ストラップ１４２の第１の部分１６０と第２の部分１６２との間の角度αは減少してもよく、これにより、面ファスナ２５０によって提供される相補的な下方への力がなければ、ターンバックル１４０を上方に付勢する傾向が生じる。
【００４３】
ターンバックル１４０は好ましくは、後パネル１３２に対するターンバックル１４０の移動を制限するように後パネル１３２に連結されるが、いくつかの実施形態では、ターンバックル１４０は、後パネル１３２に対するターンバックル１４０の少なくともある程度の移動を可能にするように後パネル１３２に連結されてもよい。例えば、図１１に示す一実施形態では、ターンバックル１４０は、１又は複数のコード２６０を介して後パネル１３２に連結されてもよい。そのような実施形態では、前記１又は複数のコード２６０は、後パネル１３２に対するターンバックル１４０の移動の程度を規定してもよい。いくつかの実施形態では、前記１又は複数のコード２６０は、後パネル１３２に対するターンバックル１４０の移動の程度を使用者が規定することを可能にするために、調節可能であってもよい（例えば、選択的に長くされるか又は短くされてもよい）。このようにして、ターンバックル１４０は後パネル１３２に対する様々な位置に位置付けられてもよく、これは手荷物用品１００内に固定される物体のサイズ及び／又は形状によっては有益であり得る。
【００４４】
上述のように、手荷物用品１００は、実質的に任意の手荷物ケース又は手荷物用品であってもよい。図１及び図２の特定の実施形態では、手荷物用品１００は、後壁３００と、対向する前壁３０２と、前壁３０２と後壁３００との間に延在する複数の側壁３０４、例えば対向する頂壁３０６及び底壁３０８、並びに対向する左壁３１０及び右壁３１２とを含み、これらは集合的にハウジング１０２を画定する。そのような実施形態では、固定用配置１１０の後パネル１３２は、ハウジング１０２の前壁３０２及び後壁３００のうちの１つ（例えば後壁３００）を少なくとも部分的に画定してもよい。いくつかの実施形態では、固定用配置１１０の前パネル１３０は、ハウジング１０２の壁のうちの１つにヒンジ式に連結されてもよい。例えば、限定されないが、前パネル１３０は、後壁３００に及び／又は底壁３０８にヒンジ式に連結されてもよい。一実施形態では、手荷物用品１００の部分、例えば側壁３０４の少なくとも部分は、運搬中の物体１１２の損傷を制限するために、パッド入りであってもよい。加えて又は代替として、手荷物用品１００は、手荷物用品１００の内部格納コンパートメント１０４内に位置付けられたパッド入りインサート３１４を含んでもよい（図２を参照）。パッド入りインサート３１４は、発泡体又はその他の弾性的に変形可能な材料から形成されてもよく、これは手荷物用品１００の側壁３０４に隣接して延在してもよい。そのような実施形態では、パッド入りインサート３１４は、運搬中の物体１１２を保護するために、且つ／又は固定用配置１１０の前パネル１３０及び後パネル１３２に相対的な物体１１２の移動を制限するために、物体１１２の側部を実質的に取り囲んでもよい。
【００４５】
少なくとも図１の実施形態では、手荷物用品１００はブリーフケースであってもよい。しかし手荷物用品１００は、とりわけ、直立型のスピナーケース３２０（図８を参照）又はバックパック３３０（図９を参照）であってもよいということが企図される。手荷物用品１００が直立型のスピナーケース３２０である実施形態では、直立型のスピナーケース３２０が支持表面上を横断することを可能にするために、手荷物用品１００は、それに連結された、例えば底壁３０８に連結された、複数のホイールアセンブリ３４０（例えば４つのスピナーホイールアセンブリ）を含む。加えて又は代替として、直立型のスピナーケース３２０は、ベース３５０とベース３５０に枢動可能に連結された蓋３５２とを含む分割ケースであってもよい。そのような実施形態では、固定用配置１１０は、直立型のスピナーケース３２０の蓋３５２と関連付けられてもよく、その場合、固定用配置１１０の後パネル１３２は少なくとも部分的に前記ケースの前壁３０２を画定する。
【００４６】
手荷物用品１００及び／又は固定用配置１１０は、様々な材料及び手段から形成されてもよい。例えば、手荷物用品１００と固定用配置１１０の少なくとも部分とは、成形可能なハードサイド材料、ソフトサイド材料、又はハードサイド材料とソフトサイド材料との組み合わせであってもよい。ハードサイド材料は、とりわけ、熱可塑性材料（自己強化又は繊維強化）、ＡＢＳ、ポリカーボネート、ポリプロピレン、ポリスチレン、ＰＶＣ、ポリアミド、及び／又はＰＴＦＥであってもよい。手荷物用品１００は、プラグ成形、ブロー成形、射出成形などの任意の好適な手法で形成又は成形されてもよい。ソフトサイド材料は、とりわけ、ナイロン、キャンバス、ポリエステル、皮、ＰＶＣ、ポリプロピレン、ポリエチレン、及び／又はＰＴＦＥであってもよい。
【００４７】
全ての相対性及び方向に関する言及（上側（ｕｐｐｅｒ）、下側（ｌｏｗｅｒ）、上方（ｕｐｗａｒｄ）、下方（ｄｏｗｎｗａｒｄ）、左（ｌｅｆｔ）、右（ｒｉｇｈｔ）、左方（ｌｅｆｔｗａｒｄ）、右方（ｒｉｇｈｔｗａｒｄ）、頂（ｔｏｐ）、底（ｂｏｔｔｏｍ）、側（ｓｉｄｅ）、上（ａｂｏｖｅ）、下（ｂｅｌｏｗ）、前（ｆｒｏｎｔ）、中（ｍｉｄｄｌｅ）、後（ｂａｃｋ）、垂直（ｖｅｒｔｉｃａｌ）、水平（ｈｏｒｉｚｏｎｔａｌ）などを含む）は、本明細書中に記載した特定の実施形態を読者が理解するのを助けるための例として示されたものである。これらは特許請求の範囲において特に明記しない限り、特に位置、向き、又は使用に関する要件又は制限であると解釈されるべきではない。接続に関する言及（例えば、取り付けられ（ａｔｔａｃｈｅｄ）、連結され（ｃｏｕｐｌｅｄ）、接続され（ｃｏｎｎｅｃｔｅｄ）、接合され（ｊｏｉｎｅｄ）など）は広く解釈されるべきであり、要素の接続の間の中間部材、及び要素間の相対移動を含んでもよい。したがって、接続に関する言及は、特許請求の範囲において特に明記しない限り、２つの要素が直接接続され互いに固定された関係にあることを必ずしも意味しない。
【００４８】
当業者は、現在開示された実施形態が、限定によってではなく例として教示するものであることを理解するであろう。したがって、上記の説明に含まれている事項又は添付の図面に示されている事項は、限定的な意味においてではなく例示的なものとして解釈されるべきである。特許請求の範囲は、本明細書中に記載した全ての一般的な特徴及び特定の特徴、並びに言語の問題としてそれらの間に入ると言われ得る本方法及びシステムの範囲の全ての言明を包含することが意図される。
【図１】
2018158105.tif 000003
【図２】
2018158105.tif 000004
【図３】
2018158105.tif 000005
【図４】
2018158105.tif 000006
【図５】
2018158105.tif 000007
【図６】
2018158105.tif 000008
【図７】
2018158105.tif 000009
【図８】
2018158105.tif 000010
【図９】
2018158105.tif 000011
【図１０】
2018158105.tif 000012
【図１１】
2018158105.tif 000013
【外国語明細書】
2018158105000001.pdf